(57)【要約】【課題】誤り訂正ブロックで必要とされる機能を考慮しながら最適化させたデータ構造を用いる情報記録再生方法及び装置と情報記録媒体を提供する。【解決手段】生成したＥＣＣブロックに、ＥＣＣブロックの同期信号とＥＣＣブロック内の位置を示す識別信号とを付加した第１シンクフレームと、同期信号のみを付加した第２シンクフレームとによる行が、複数行設けられて構成される物理クラスタを生成し、これを記録媒体に記録する情報記録方法である。一方のシンクフレームだけに識別信号が設けられているため、第１フレームと第２フレームの長さが異なることで、データブロックの一辺を奇数とすることが可能となる。更に、識別信号を設けたため、同期信号から位置情報成分を除くことができることで、同期信号を短くすることも可能となる。【選択図】    図１
2004213737.tif 000002
【特許請求の範囲】
【請求項１】
与えられる情報に応じてＥＣＣブロックを生成し、これにインターリーブ処理を施した前記ＥＣＣブロックに基づいて、
前記ＥＣＣブロックの同期信号と前記ＥＣＣブロック内の位置を示す識別信号とを前記ＥＣＣブロックに付加した第１シンクフレームと、前記同期信号のみを付加した第２シンクフレームとによる行が、複数行設けられて構成される物理クラスタを生成しこれを記録媒体に記録することを特徴とする情報記録方法。
【請求項２】
前記生成されたＥＣＣブロックは、一つのＩＤ情報をそれぞれ有する４つのクラスタを有しており、各クラスタは、１行ごとに誤り訂正符号が付加される４４行を有していることを特徴とする請求項１記載の情報記録方法。
【請求項３】
記録媒体から、ＥＣＣブロックの同期信号と前記ＥＣＣブロック内の位置を示す識別信号とを付加した第１シンクフレームと前記同期信号のみを付加した第２シンクフレームとによる行が、複数行設けられて構成される物理クラスタ毎に情報を読み出し、前記識別信号により各データの位置を検出し前記同期信号で同期を取りながら、前記物理クラスタに含まれる情報を再生することを特徴とする情報再生方法。
【請求項４】
前記生成されたＥＣＣブロックは、一つのＩＤ情報をそれぞれ有する４つのクラスタを有しており、各クラスタは、１行ごとに誤り訂正符号が付加される４４行を有していることを特徴とする請求項３記載の情報再生方法。
【請求項５】
各々が一つのＩＤ情報を有する情報ブロックであるクラスタを、与えられる情報に応じて生成し、前記クラスタを複数個集め、これに誤り訂正符号を付加してＥＣＣブロックを生成し、更に少なくとも同期信号を付加した物理クラスタ毎に、前記与えられた情報を記録媒体に記録することを特徴とする情報記録方法。
【請求項６】
各一つのＩＤ情報を有する情報ブロックであるクラスタが複数個集められ、これに誤り訂正符号を付加して生成したＥＣＣブロックに少なくとも同期信号を付加した物理クラスタ毎に、情報記録媒体から情報を読み出し、前記同期信号により同期を取り、前記クラスタのＩＤ情報に基づいてクラスタを識別することで、情報を再生することを特徴とする情報記録方法。
【請求項７】
前記生成された各クラスタは、１行ごとに誤り訂正符号が付加される４４行を有していることを特徴とする請求項５又は６記載の情報記録方法。
【請求項８】
前記生成された各クラスタは、１８７シンボルからなる、１行ごとに誤り訂正符号が付加される４４行を有していることを特徴とする請求項５又は６記載の情報記録方法。
【請求項９】
与えられる情報をセクタ化し誤り訂正符号を付加してＥＣＣブロックを生成する誤り訂正符号化部と、
前記ＥＣＣブロックに前記ＥＣＣブロック内の位置を示す識別信号を付加する識別信号付加部と、
更に前記ＥＣＣブロックに同期信号を付加することで、前記ＥＣＣブロックの同期信号と前記識別信号とを付加した第１シンクフレームと、前記同期信号のみを付加した第２シンクフレームとによる行が、複数行設けられて構成される物理クラスタを生成する同期信号付加部と、
前記同期信号付加部により生成された前記物理クラスタを記録媒体に記録するドライバと、を具備することを特徴とする情報記録装置。
【請求項１０】
記録媒体から検出信号を読み出し２値化して、ＥＣＣブロックの同期信号と前記ＥＣＣブロック内の位置を示す識別信号とを付加した第１シンクフレームと、前記同期信号のみを付加した第２シンクフレームとによる行が、複数行設けられて構成される物理クラスタ毎に情報を読み取る２値化部と、
前記２値化部で読み取られた前記物理クラスタから前記同期信号を分離し、これに基づき前記フレームとの同期をとる同期分離部と、
前記２値化部で読み取られた前記物理クラスタから、前記識別信号により各フレームの位置を検出し、これに基づいて前記物理クラスタに含まれる情報を再生する識別信号検出部と、を具備することを特徴とする情報再生装置。
【請求項１１】
与えられた情報をブロック化して一つのＩＤ情報が付与されるクラスタを生成するクラスタ化部と、
前記クラスタを複数個集め、これに誤り訂正符号を付加してＥＣＣブロックを生成する誤り訂正符号化部と、
前記ＥＣＣブロックに少なくとも同期信号を付加した物理クラスタを生成しこれを記録媒体へと記録するドライバ部と、
を具備することを特徴とする情報記録装置。
【請求項１２】
前記生成された各クラスタは、１８７シンボルからなる、１行ごとに誤り訂正符号が付加される４４行を有していることを特徴とする請求項１１記載の情報記録装置。
【請求項１３】
記録媒体からの検出信号を２値化して、一つのＩＤ情報を有する情報ブロックであるクラスタが複数個集められ、これに誤り訂正符号を付加して生成したＥＣＣブロックに少なくとも同期信号を付加した物理クラスタ毎に、前記記録媒体から情報を読み取る２値化部と、
前記クラスタからそれぞれのＩＤ情報を検出し、これに基づいて、前記クラスタをセクタ化して前記セクタ中の情報を読み取ることで再生するセクタ化部と、
を具備することを特徴とする情報再生装置。
【請求項１４】
前記生成された各クラスタは、１８７シンボルからなる、１行ごとに誤り訂正符号が付加される４４行を有していることを特徴とする請求項１３記載の情報再生装置。
【請求項１５】
一つのＩＤ情報を有する情報ブロックであるクラスタが複数個集められ、これに誤り訂正符号を付加してＥＣＣブロックを生成し、これにインターリーブ処理を施して形成された前記ＥＣＣブロックに基づいて、
前記ＥＣＣブロックの同期信号と前記ＥＣＣブロック内の位置を示す識別信号とを前記ＥＣＣブロックに付加した第１シンクフレームと、前記同期信号のみを付加した第２シンクフレームとによる行が、複数行設けられて構成される物理クラスタが、複数個、記録されていることを特徴とする情報記録媒体。
【発明の詳細な説明】
【０００１】
【発明の属する技術分野】
この発明は、所定の規格に基づく情報記録再生方法であり、特に、誤り訂正を伴う最適化されたデータブロック構造による情報記録再生方法及び情報記録再生装置と情報記録媒体に関する。
【０００２】
【従来の技術】
最近、光ディスクを用いたディジタル機器の普及が目覚しく、光ディスクへの情報が記録される際のデータ構造においても、一層の改良が要望されている。すなわち、例えば、ＤＶＤ（Ｄｉｇｉｔａｌ  Ｖｅｒｓａｔｉｌｅ  Ｄｉｓｋ）の規格に例をとると、記録すべき情報は、ある特定容量のデータブロック毎に、誤り訂正積符号を生成付加して、一定間隔のデータ長に分割して同期信号を挿入してデータ変調後に伝送或いは記録媒体に記録されるものである。
【０００３】
これに関連した従来技術として、積符号を構成する誤り訂正符号の誤り訂正処理が示された例がある（例えば、特許文献１参照）。この従来技術においては、ディジタル信号は、データ制御部で映像音声信号や制御信号等が纏められ、次のデータセクタ化に送られ、２Ｋバイトのセクタデータに整えられる。また２Ｋバイトのメインデータに対して誤り検出符号（ＥＤＣ：Ｅｒｒｏｒ  Ｄｅｔｅｃｔｉｏｎ  Ｃｏｄｅ）が付加され、スクランブル処理によりサーボエラー信号検出安定を目的に、同一パターンの連続性が発生しないようＩＤ情報で初期値が決められるデータスクランブル処理が行われる。これにより形成されたセクタデータにヘッダ処理でセクタ番号を示すＩＤやその他の制御信号が付加される。このデータは次の誤り訂正符号化処理により誤り訂正検査積符号が生成付加され、記録信号にされるための変調処理、一定間隔のデータ長に対して同期信号付加処理され、記録信号としてドライバにより記録媒体に記録されるものである。
【０００４】
【特許文献１】
特開２００２−１８４８８１号公報。
【０００５】
【発明が解決しようとする課題】
上述した記録処理におけるデータ構造の情報処理は、一定のＤＶＤ規格によるデータ構造において行われており、一定のデータ容量毎に、一定の効率の範囲で、上述した暗号化や復号が行われ誤り訂正が行われＩＤや同期信号が付加されて管理されなければならない。しかしながら、これを満足するデータ構造は必ずしも一通りではなく、現行ＤＶＤ規格のデータ構造が必ずしも最適化されているというわけではない。すなわち、現行ＤＶＤ規格においては、各データ長が決められた背景は、符号効率や機能などから総合的に検討され決められたものであるが、この中でいくつかの無駄な要素もあり、それらを拾い出して総合的な最適化をすれば、さらに冗長率の少ない効率的なデータ構造が考えられる。
【０００６】
下記に検討すべき項目を挙げると、
１．アプリケーション側から、２Ｋシンボルセクタを最初のデータパケットにしているが、ＩＤは２Ｋシンボル単位より大きくても、ポジション検索などに影響しない。
【０００７】
２．同期信号の機能で、行識別などは全てのフレームで対応する必要はない。
【０００８】
３．誤り訂正ブロック又は、２ＫシンボルセクタがＫ個集まったクラスタ単位で制御信号を扱っても良い。
【０００９】
４．変調方式が変換効率の高い方式が採用される場合、チャネルビット長が短くなるため、多くの同期信号パターンが生成できなくなる。
【００１０】
５．制御信号をメイン変調方式とは異なる方式で構成することで、効率よい配置で記録信号が構成できる。
【００１１】
この様に、よく検討された現行ＤＶＤ規格も、最初に構成の考え方を変えるだけで、さらに効率的な最適データ構造を作成することが可能であり、現行ＤＶＤ規格のデータ構造に最適化の余地を残しているという問題がある。
本発明は、誤り訂正ブロックで必要とされる機能を考慮しながら最適化させたデータ構造を用いる情報記録再生方法及び情報記録再生装置と情報記録媒体を提供することを目的とする。
【００１２】
【課題を解決するための手段】
本発明は上記課題を解決するべく、与えられる情報に応じてＥＣＣブロックを生成し、これにインターリーブ処理を施した前記ＥＣＣブロックに基づいて、前記ＥＣＣブロックの同期信号と前記ＥＣＣブロック内の位置を示す識別信号とを前記ＥＣＣブロックに付加した第１シンクフレームと、前記同期信号のみを付加した第２シンクフレームとによる行が、複数行設けられて構成される物理クラスタを生成しこれを記録媒体に記録することを特徴とする情報記録方法である。
【００１３】
従来のデータ構造においては、物理クラスタに一定間隔で付加されていた同期信号は、位置情報をも含んだ冗長なものであり、更に、偶数個のシンボルによる偶数シンクフレームにより積符号誤り訂正の内符号検査行列が構成されていたため、ＥＣＣブロックの基礎となるセクタの一辺は、通常最適化を行うと偶数が使われるという制約ができてしまうことになる。これにより、例えば、一辺を１８７個等のシンボル数とするというデータ構造をもつことができない。しかし、本発明に係る情報記録方法によれば、一方のシンクフレームにだけ位置情報である識別信号を付加し、他方のシンクフレームにはこれを付加しないため、シンボル数に偏りが生じるため、都合よく一辺を奇数とする、例えば、１８７個のシンボル数とするというデータ構造をもつことができる。これにより、偶数という制約から離れて自由に最適化したデータ構造をとることができる。
更に、従来方式である同期信号に位置情報も含めるという方法をとってはいないため、同期信号を短くすることができる。具体的には、従来、一つのステートの同期信号で２バイトの容量を必要としていたのに比べ、本発明によれば、一例として、約１．３バイトの容量による同期信号を用意するだけですむこととなる。これによりデータ構造を効率化することが可能となる。
更に、本発明は、各々が一つのＩＤ情報を有する情報ブロックであるクラスタを、与えられる情報に応じて生成し、前記クラスタを複数個集め、これに誤り訂正符号を付加してＥＣＣブロックを生成し、更に少なくとも同期信号を付加した物理クラスタ毎に、前記与えられた情報を記録媒体に記録することを特徴とする情報記録方法である。
【００１４】
従来の例えば現行ＤＶＤ規格においては、例えば、情報ブロックのＩＤは、セクタと呼ばれる情報ブロック毎に与えられており、セクタは、１７２バイト×１２行の情報ブロックである。一方、本発明に係る情報記録方法によれば、クラスタと呼ばれる情報ブロックを用い、クラスタは、一例として、１８７バイト×４４行の情報ブロックである。
【００１５】
現行ＤＶＤ規格においては、一つの物理セクタにおいては、１２行のセクタを１６組用いているため、ＩＤは１６個必要となる。１２バイトのＩＤが１６個であり、ＩＤのために１９２バイトの容量を必要としていた。
【００１６】
一方、本発明に係る規格においては、一つの物理クラスタ（上記の物理セクタに対応する）においては、４４行のクラスタを４組用いているため、ＩＤは４個あればよい。従って、ＩＤが２０バイトであれば、ＩＤのために８０バイトの容量があればよく、ＩＤのための容量を１１２バイト（＝１９２−８０）節約でき、ＩＤのための容量は約４１％に削減することができることとなる。
【００１７】
【発明の実施の形態】
以下、図面を参照して本発明に係る情報処理装置が用いるデータ構造の一例を詳細に説明する。本発明の方式で構成されたデータ構造を具体的な構成図で説明する。図１は、本発明の一実施形態であるクラスタデータのデータ構造の一例を示す図、図２は、このクラスタデータを用いたＥＣＣブロックの一例を示す図、図３は、このクラスタデータを用いたインターリーブ後のＥＣＣブロックの一例を示す図、図４は、このクラスタデータを用いた物理クラスタの一例を示す図、図５は、このクラスタから物理クラスタに至る過程を示す図、図１４は、本発明に係る情報処理で用いられる同期信号パターンの一例を示す図である。
【００１８】
本発明に係るデータ構造の特徴は、図１に示すようなクラスタ（セクタと呼んでもよいが、説明の便宜上、クラスタと呼ぶ）ＣＬを基本単位とするものである。このクラスタＣＬは、図１に示すように、一つのＩＤ（更に、ＩＥＤ、他）を有しており、一例として、Ｍを１８７とし、１８７シンボル×４４行の構成を有している。これは、一般的には、誤り訂正検査符号も含めた（ｍ１＋ｍ２）×Ｎシンボルで、ｍ１＋ｍ２＝Ｍシンボルとした時、Ｍは奇数シンボルでも構わない。
【００１９】
又、更に、本発明に係るデータ構造の特徴は、物理クラスタに付加される同期信号ＳＳは、行識別情報等の機能（図１４の行識別情報ＡＤ）が除外されたものを用いることであり、新たに、各行の偶数ＳＹＮＣフレームＥＦにのみ識別情報Ｉを挿入して、これにより行識別情報やその他の制御信号をもたせている。すなわち、行識別情報等は、データ構造の一行が複数ＳＹＮＣフレームで構成される場合、全ての同期信号ＳＳにその情報を埋め込む必要はない。そこで先頭の偶数フレームのみに専用の識別情報Ｉとして配置すれば、用を成すものである。
【００２０】
又、この識別情報Ｉは１シンボル程度で充分であるため、ＳＹＮＣ間距離を等しくする必要があることから、誤り訂正データブロックの行方向データ長に奇数長を採用することができる。
【００２１】
＜本発明に係るクラスタのデータ構造＞
本発明に係るクラスタＣＬの一例が図１に示されており、データ効率向上のために、現行ＤＶＤ規格では１７２バイト×１２行のデータブロックに対して一つのＩＤ情報等を付与しているのに対して、この規格では、１８７バイト×１１行×４のデータブロック（いわゆるクラスタＣＬ）に対して一つのＩＤ情報等を付与している。
【００２２】
現行ＤＶＤ規格においては、一つの物理セクタにおいては、１２行のセクタを１６組用いているため、ＩＤは１６個必要となる。ＩＤが１２バイトであれば、ＩＤが１６個なので、ＩＤのために１９２バイトの容量を必要としている。
【００２３】
一方、本発明に係る規格においては、一つの物理クラスタ（現行ＤＶＤ規格の物理セクタに対応）においては、４４行のクラスタを４組用いているため、ＩＤは４個あればよい。従って、ＩＤが２０バイトであれば、ＩＤのために８０バイトの容量があればよく、この結果、現行ＤＶＤ規格に比べて、ＩＤのための容量を１１２バイト（＝１９２−８０）節約することができる。これにより、ＩＤのために必要な容量を約４１％まで削減することができる。
【００２４】
なお、このように容量を削減できるデータ構造の例は、上述した１８７シンボル×４４行にて、ＩＤ等を２０Ｂとする場合以外にも、１７５シンボル×４７行でＩＤ等を１７Ｂとする場合、１７９シンボル×４６行でＩＤ等を２６Ｂとする場合等が考えられ、更に、同様に他の値であっても、一定の容量節約を行うことができる。
【００２５】
なお、連続エラーの誤り訂正能力を向上させるためには、行方向のシンボル数が多い方がよく、Ｍ＝１８７とした場合は、誤り訂正効率を比較的高く得ることが可能となる。
【００２６】
更に、図２は、本発明を利用した時のＥＣＣブロックの例を示したものである。ＥＣＣブロックＥＢは、図１のクラスタＣＬを４組集合させ、更に、誤り訂正検査外符号（ＰＯ）と内符号（ＰＩ）が付加されたものである。
【００２７】
図３は、インターリーブ処理が施されたＥＣＣブロックＥＢ’を示しており、現行ＤＶＤ規格と同様に、図２の誤り訂正検査外符号（ＰＯ）領域を行インターリーブ処理して、各クラスタに分散配置することにより、全て同じ構成のクラスタを形成させている。
【００２８】
図４は、インターリーブ処理が施されたＥＣＣブロックＥＢ’を行方向２分割して偶数シンクフレームＥＦと、奇数シンクフレームＯＦとにより構成し、行方向の１９７シンボルは９８シンボルと９９シンボルに分割して８／１６変調して先頭に同期信号ＳＳを挿入することで得られる、物理クラスタＰＣを示している。但し、先頭フレームには１６チャネルビットの識別情報Ｉを挿入する。ここで、識別情報Ｉは、行識別情報やその他の制御情報で構成された記録信号である。
【００２９】
この場合、同期信号ＳＳは、図１４で示すような現行ＤＶＤ規格で使用している同期信号ＳＹ０〜ＳＹ７を必要とするわけではなく、行識別情報成分ＡＤを含めない残りの信号である同一の同期信号ＳＳを用いるだけでよい。これにより、本発明に係るデータ構造においては、同期信号として用いられる容量を、現行ＤＶＤ規格のデータ構造に比べて、削減することが可能となる。又、同期信号ＳＳは、シンボル分割と記録信号直流成分抑圧制御機能のみでよいため、同期信号ＳＳの信号パターンとして［１ａ］、［１ｂ］、［２ａ］、［２ｂ］の４種類だけでよい。又、同期信号ＳＳのパターン生成に余裕がある場合は、クラスタの先頭行のみ別のパターンでも可能である。
【００３０】
図５は、このようなデータ構造の処理の過程を一覧として示すものであり、ここで（ｃ）は、Ｌ＝２の場合の処理、（ｄ）は、Ｌ＝４の場合の処理がそれぞれ示されている。
【００３１】
このように、本発明に係るデータ構造によれば、クラスタＣＬを用いることでＩＤ信号の容量を削減することができ、識別信号Ｉを用いることで、現行ＤＶＤ規格の同期信号ＳＹの容量を削減し、更に、奇数シンボルのデータ構造とすることができる。
【００３２】
＜本発明に係るデータ構造の変形例＞
又、次に、これらの処理の変形例をそれぞれ、以下に示す。図６は、本発明に係るクラスタデータが複数集められた集合体を示す図、図７は、識別信号のデータ構成の一例を示す図、図８は、ＲＬＬ変換テーブルの一例を示す図、図９は、本発明に係る物理クラスタの他の一例を示す図、図１０は、ＥＣＣブロックの他の一例を示す図、図１１は、行インターリーブ処理後のＥＣＣブロックの他の一例を示す図である。
【００３３】
上記の例では、Ｎ＝４４とした場合が示されたが、本発明は必ずしもこれに限るものではなく、図６に示すように、例えば、一つのＩＤ情報をそれぞれ有するクラスタをＫ個だけ集合して構成するものであってもよい。
【００３４】
又、図７の（ａ）は、本発明の識別情報Ｉの構成例を示した図である。データブロックの行識別情報や制御信号などの情報を、誤り訂正データブロックに含めないで独立した情報として記録データブロックに挿入する方式では、ＥＣＣブロックのデータのように変調器を通す必要がないことから、複数種の情報パターンの組み合わせを利用することが可能である。図７の（ａ）では、１２チャネルビットを行識別信号に利用し、４チャネルビットを（０１００）＝１・（００１０）＝０の意味をもたせ、図４に示した４８組の識別情報Ｉから４８ビットが纏められ、独立した誤り訂正符号を構成して記録再生できるようにすることが可能である。
【００３５】
又、図７の（ｂ）は、本発明に係る識別情報Ｉ内のコントロールデータの構成例を示している。この識別情報Ｉは、メインデータの構成や誤り訂正ブロックがメインデータと独立した情報信号であるため、記録再生ドライブ内のみで利用することが可能である。従って、著作権保護用制御信号などに利用する場合、保護効果を得ることができる。
【００３６】
このように本発明は、誤り訂正符号を含むメインデータとそのデータブロックの行識別情報や同期信号ＳＳをそれぞれ最適化した配置にすることを目的にしており、データ伝送・記録効率が高くなるだけでなく、新しい機能効果が生まれている。
【００３７】
現行ＤＶＤ規格の変調方式は、ＲＬＬ（２，１０）の「８−１６」変調が用いられているが、最近、最短ピット長の更なる縮小化が可能になりつつあり、ＲＬＬ（１，７）、又はＲＬＬ（１，１０）等、その変形の変調方式が次世代の光ディスクで採用検討されている。この場合、８ビットのデータを１２チャネルビットに変換、又は「２ビットを３チャネルビット／４ビットを６チャネルビット」に変換する変調方式が考えられる。
【００３８】
図８は、（１−７）ＲＬＬ変調といわれる変調方式の変換テーブルである。このような変調方式を使うと、１シンボル（又はバイト）に対してのチャネルビット長が短くなり、同期信号ＳＳは多種類の信号パターンを構成することは難しくなる。
【００３９】
図９は、本発明に係る物理クラスタの二つの変形例を示している。図４では、識別情報Ｉは各行の先頭フレームの同期信号ＳＳに続いて配置したが、図９の（ａ）と（ｂ）の変形例では、それぞれ、先頭フレームの同期信号ＳＳの直前に配置している。このため偶数シンクフレームＥＦと、奇数シンクフレームＯＦとのデータ長が逆となっている。再生処理システムを構成する上で、同期信号ＳＳの後段はＥＣＣデータでそろえた方が構成が簡易になるためである。
【００４０】
又、図９の（ａ）は（２，１０）ＲＬＬで変調した場合の図であるが、図９の（ｂ）は、（１，７）ＲＬＬ変調で対応した場合を示している。同期信号ＳＳは同じように２シンボル分を割り当てると２４チャネルビット長となり、図１４の同期信号ＳＹ０〜７で示すように多くの種類の同期信号を構成することが難しくなる。従って、多くの種類の信号パターンを用意する場合は、同期信号ＳＳを２．５シンボルか３シンボル長にする必要が出てきて、データ効率がさらに悪化することにもなりかねない。図９の（ｂ）の例を利用すれば、逆に１．５シンボル長でも可能になり、データ伝送・記録効率を向上させることができる。
【００４１】
本発明の実施形態では、現行ＤＶＤ規格の誤り訂正データブロックとそれに伴う記録データブロックを参考にして説明した。光ディスクは新たにブルーレーザを用いて記録密度を３〜５倍程度に向上させる方式が開発されようとしている。この場合、線記録密度は１．５〜２．５倍程度に上がるため、バーストエラーに対する誤り訂正能力を、データ長換算で２倍以上に向上させる必要がある。
【００４２】
しかしながら、現行ＤＶＤ規格で採用されている誤り訂正方式は、シンボル＝バイトによるリードソロモン積符号が用いられているため、８ビットのガロア体演算から、訂正符号長は２５５バイトが限界である。現行ＤＶＤ規格では、行方向が１８２バイト長、列方向が２０８バイト長であり、これ以上能力向上は難しい。
【００４３】
そこで、一行又は一列のデータ列を２組の訂正系列で構成させる、言い換えれば訂正系列側から見れば、２つの訂正ブロックがインターリーブ処理された構造をさせることで、能力向上を考えられる。
【００４４】
図１０は、本発明に係るＥＣＣブロックの他の実施形態を示す図である。ここでは、図１のクラスタを８組集合させ、列方向の誤り訂正検査行列は、偶数行と奇数行で別々の検査行列としている。このようにして生成された訂正符号が付加され、２組の（ＰＯ）は、図３と同様に行インターリーブされる。
【００４５】
又、図１１は、図１０に示すＥＣＣブロックの行インターリーブ処理後のＥＣＣブロックＥＢ’が示されている。
【００４６】
＜本発明に係る情報処理装置＞
次に、本発明に係る情報処理が行われる情報処理装置の記録処理及び再生処理の構成の一例を示す。図１２は、本発明に係る情報処理が行われる情報処理装置の記録処理の構成の一例を示すブロック図、図１３は、本発明に係る情報処理が行われる情報処理装置の再生処理の構成の一例を示すブロック図である。
【００４７】
本発明に係る情報処理が行われる情報処理装置は、図１２において、以下のように記録処理を行う。すなわち、記録すべきディジタル信号は、データ制御部Ｒ１において、映像音声信号や制御信号等に纏められ、次のデータセクタ化部Ｒ２に送られ、２Ｋバイトのセクタデータに整えられる。そして、２Ｋバイトのメインデータに対して誤り検出符号（ＥＤＣ：Ｅｒｒｏｒ  Ｄｅｔｅｃｔｉｏｎ  Ｃｏｄｅ）が付加され、スクランブル処理部Ｒ３において、サーボエラー信号検出安定を目的に、同一パターンの連続性が発生しないようＩＤ情報で初期値が決められるデータスクランブル処理が行われる。
【００４８】
次に、クラスタ化部Ｒ４に送られ、図１で示したクラスタＣＬへと変換される。このクラスタＣＬは、更に、ヘッダ処理部Ｒ５に供給され、セクタ番号を示すＩＤやその他の制御信号が付加される。更に、次の誤り訂正符号化部Ｒ６で誤り訂正検査積符号が生成付加され、更に、識別信号Ｉ付加部Ｒ７において、上述した識別信号Ｉが付加される。その後、変調部Ｒ８において、記録信号にされるための変調処理が施された後に、同期付加部Ｒ９において、一定間隔のデータ長に対して上述した同期信号ＳＳが付加され、図４で示した物理クラスタＰＣが生成される。最後に、この物理クラスタＰＣが記録信号として、ドライバＲ１０によって、記録媒体Ｄへ記録されることとなる。
【００４９】
又、更に、本発明に係る情報処理が行われる情報処理装置は、図１３において、以下のように再生処理を行う。すなわち、記録媒体Ｄから、データ読み取り用ピックアップヘッドＰＵによって、記録信号が読み出され、読み出されたアナログ信号は、２値化部Ｐ１でディジタル信号に変換される。その後、同期分離部Ｐ２によって同期信号ＳＳが検出される。更に、上述した識別信号Ｉが識別信号Ｉ検出部Ｐ３より検出され、同期信号ＳＳと識別信号Ｉとに基づき、記録信号が処理される。その後、記録信号は、復調部Ｐ４にてシンボルデータが復調される。これらのシンボルデータにはエラーデータも含まれるので、誤り訂正復号化部Ｐ５にて誤り訂正処理が行われる。更に、クラスタのセクタ化部Ｐ６にてセクタ毎に分割され、セクタ単位により、デスクランブル処理部Ｐ７にてデスクランブル処理が施され、この復号された信号がインターフェースＰ８を通して出力される。
【００５０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００５１】
【発明の効果】
以上詳述したように本発明に係る処理方法によれば、本発明に特有なクラスタＣＬを用いることでＩＤ信号の容量を削減することができ、又、更に、識別信号Ｉを用いることで、現行ＤＶＤ規格の同期信号ＳＹの容量を削減し、更に、奇数シンボルのデータ構造とすることが可能となる。
【図面の簡単な説明】
【図１】本発明の一実施形態であるクラスタデータのデータ構造の一例を示す図。
【図２】本発明に係るクラスタデータを用いたＥＣＣブロックの一例を示す図。
【図３】本発明に係るクラスタデータを用いたインターリーブ後のＥＣＣブロックの一例を示す図。
【図４】本発明に係るクラスタデータを用いた物理クラスタの一例を示す図。
【図５】本発明に係るクラスタから物理クラスタに至る過程を示す図。
【図６】本発明に係るクラスタデータが複数集められた集合体を示す図。
【図７】本発明に係る識別信号のデータ構成の一例を示す図。
【図８】本発明に係るＲＬＬ変換テーブルの一例を示す図。
【図９】本発明に係る物理クラスタの他の一例を示す図。
【図１０】本発明に係るＥＣＣブロックの他の一例を示す図。
【図１１】本発明に係る行インターリーブ処理後のＥＣＣブロックの他の一例を示す図。
【図１２】本発明に係る情報処理が行われる情報処理装置の記録処理の構成の一例を示すブロック図。
【図１３】本発明に係る情報処理が行われる情報処理装置の再生処理の構成の一例を示すブロック図。
【図１４】本発明に係る情報処理で用いられる同期信号パターンＳＳと現行ＤＶＤ規格の同期信号ＳＹとの関係を示す図。
【符号の説明】
Ｒ１…データ制御部、Ｒ４…クラスタ化部、Ｒ７…識別信号付加部、Ｒ９…同期付加部、Ｐ１…２値化部、Ｐ３…識別信号検出部、Ｐ６…クラスタのセクタ化部。
【図１】
2004213737.tif 000003
【図２】
2004213737.tif 000004
【図３】
2004213737.tif 000005
【図４】
2004213737.tif 000006
【図５】
2004213737.tif 000007
【図６】
2004213737.tif 000008
【図７】
2004213737.tif 000009
【図８】
2004213737.tif 000010
【図９】
2004213737.tif 000011
【図１０】
2004213737.tif 000012
【図１１】
2004213737.tif 000013
【図１２】
2004213737.tif 000014
【図１３】
2004213737.tif 000015
【図１４】
2004213737.tif 000016